(57)【要約】【課題】予め登録した属性情報に基づいてサービスを提供することで、原本の情報の漏洩を防止する。【解決手段】植物繊維が絡み合って形成されたランダムパターンを有する原稿の特徴量を読み取り、読み取った原稿の特徴量と、原稿の特徴量に対応するサービス毎の属性情報とを対応させたテーブルを予め管理サーバ１４に記憶させる。複合機１２でサービスを提供する際に、サービス提供対象の原稿の特徴量を読み取り、管理サーバ１４へ送信する。管理サーバ１４は、複合機１２から特徴量を受信すると、記憶してあるテーブルから特徴量に対応する属性情報を取得し、複合機１２へ取得した属性情報を送信する。複合機１２は、管理サーバ１４から属性情報を受信し、受信した属性情報に基づいてサービスを提供するように制御する。【選択図】図１
2009081731.tif 000002
【特許請求の範囲】
【請求項１】
植物繊維が絡み合って形成されたランダムパターンを有する用紙を用いて作成された原本を含む原稿を読み取り、読取データを出力する読取手段と、
前記読取データに基づいたサービスを複数提供するサービス提供手段と、
サービスを提供する前に、前記読取データから得られる前記ランダムパターンの特徴量と、原本に対するサービス毎の属性情報とを対応させて記憶手段に予め記憶するように制御する記憶制御手段と、
サービスを提供する際に、サービス提供対象の原稿を読み取るように前記読取手段を制御し、読み取りにより得られた読取データから得られる前記ランダムパターンの特徴量に対応する属性情報を、前記記憶手段の記憶内容から取得する取得手段と、
取得した属性情報に基づいて前記サービス提供手段を制御するサービス制御手段と、
を含むサービス提供装置。
【請求項２】
前記属性情報は、原本に対するサービス毎の提供可否を示す情報を含み、
前記サービス制御手段は、取得した属性情報がサービスの提供が可能なことを示している場合には、提供可能なサービスを提供するように前記サービス提供手段を制御する請求項１記載のサービス提供装置。
【請求項３】
前記サービス制御手段は、取得した属性情報がサービスの提供が不可能なことを示している場合には、サービスの提供を中止し、表示手段にエラーメッセージを表示するように制御する請求項２に記載のサービス提供装置。
【請求項４】
原本に対するサービス毎の属性情報を入力する入力手段を更に備え、
前記記憶制御手段は、前記入力手段から入力された属性情報を前記記憶手段に記憶するように制御する請求項１〜請求項３のいずれか１項記載のサービス提供装置。
【請求項５】
前記記憶手段を、ネットワークを介して前記サービス提供装置と接続された情報処理装置に設けた請求項１〜請求項４のいずれか１項記載のサービス提供装置。
【請求項６】
前記情報処理装置は、サービスを提供する際に得られる前記ランダムパターンの特徴量に対応する属性情報を、前記記憶手段の記憶内容から抽出し、前記サービス提供装置に送信する請求項５記載のサービス提供装置。
【請求項７】
コンピュータを、
サービスを提供する前に、植物繊維が絡み合って形成されたランダムパターンを有する用紙を用いて作成された原本を含む原稿を読み取り、読取データを出力するように読取手段を制御し、前記読取データから得られる前記ランダムパターンの特徴量と、原本に対するサービス毎の属性情報とを対応させて記憶手段に予め記憶するように制御する記憶制御手段と、
サービスを提供する際に、サービス提供対象の原稿を読み取るように前記読取手段を制御し、読み取りにより得られる前記ランダムパターンの特徴量に対応する属性情報を、前記記憶手段の記憶内容から取得する取得手段と、
取得した属性情報に基づいて、前記読取データに基づいたサービスを複数提供するサービス提供手段を制御するサービス制御手段と、
して機能させるためのプログラム。
【請求項８】
前記属性情報は、原本に対するサービス毎の提供可否を示す情報を含み、
前記サービス制御手段は、取得した属性情報がサービスの提供が可能なことを示している場合には、提供可能なサービスを提供するように前記サービス提供手段を制御する請求項７記載のプログラム。
【発明の詳細な説明】
【技術分野】
【０００１】
本発明は、サービス提供装置及びプログラムに関する。
【背景技術】
【０００２】
従来、紙自体が持つ植物繊維が絡み合って形成されたランダムパターンが１枚１枚固有であることに着目して、このランダムパターンの特徴量を用い、紙自体を識別する情報として利用する技術が知られている（特許文献１）。
【０００３】
特許文献１には、紙を用いた各種書類の原本性の確保または偽造防止についてランダムパターンの特徴量である紙指紋を利用することが記載されている。
【特許文献１】特開２００４−１０２５６２
【発明の開示】
【発明が解決しようとする課題】
【０００４】
本発明は、原本性の確保だけではなく、属性情報に基づいてサービスを提供することで、原本の情報の漏洩を防止することを目的とする。
【課題を解決するための手段】
【０００５】
上記目的を達成するために、請求項１の発明は、植物繊維が絡み合って形成されたランダムパターンを有する用紙を用いて作成された原本を含む原稿を読み取り、読取データを出力する読取手段と、前記読取データに基づいたサービスを複数提供するサービス提供手段と、サービスを提供する前に、前記読取データから得られる前記ランダムパターンの特徴量と、原本に対するサービス毎の属性情報とを対応させて記憶手段に予め記憶するように制御する記憶制御手段と、サービスを提供する際に、サービス提供対象の原稿を読み取るように前記読取手段を制御し、読み取りにより得られた読取データから得られる前記ランダムパターンの特徴量に対応する属性情報を、前記記憶手段の記憶内容から取得する取得手段と、取得した属性情報に基づいて前記サービス提供手段を制御するサービス制御手段と、を含んで構成されたものである。
【０００６】
請求項２の発明は、前記属性情報が、原本に対するサービス毎の提供可否を示す情報を含み、前記サービス制御手段が、取得した属性情報がサービスの提供が可能なことを示している場合に、提供可能なサービスを提供するように前記サービス提供手段を制御することを特徴としている。
【０００７】
請求項３の発明は、前記サービス制御手段が、取得した属性情報がサービスの提供が不可能なことを示している場合に、サービスの提供を中止し、表示手段にエラーメッセージを表示するように制御することを特徴としている。
【０００８】
請求項４の発明は、原本に対するサービス毎の属性情報を入力する入力手段を更に備え、前記記憶制御手段が、前記入力手段から入力された属性情報を前記記憶手段に記憶するように制御することを特徴としている。
【０００９】
請求項５の発明は、前記記憶手段を、ネットワークを介して前記サービス提供装置と接続された情報処理装置に設けたことを特徴としている。
【００１０】
請求項６の発明は、前記情報処理装置が、サービスを提供する際に得られる前記ランダムパターンの特徴量に対応する属性情報を、前記記憶手段の記憶内容から抽出し、前記サービス提供装置に送信することを特徴としている。
【００１１】
請求項７の発明は、コンピュータを、サービスを提供する前に、植物繊維が絡み合って形成されたランダムパターンを有する用紙を用いて作成された原本を含む原稿を読み取り、読取データを出力するように読取手段を制御し、前記読取データから得られる前記ランダムパターンの特徴量と、原本に対するサービス毎の属性情報とを対応させて記憶手段に予め記憶するように制御する記憶制御手段と、サービスを提供する際に、サービス提供対象の原稿を読み取るように前記読取手段を制御し、読み取りにより得られる前記ランダムパターンの特徴量に対応する属性情報を、前記記憶手段の記憶内容から取得する取得手段と、取得した属性情報に基づいて、前記読取データに基づいたサービスを複数提供するサービス提供手段を制御するサービス制御手段と、して機能させるものである。
【００１２】
請求項８の発明は、前記属性情報が、原本に対するサービス毎の提供可否を示す情報を含み、前記サービス制御手段が、取得した属性情報がサービスの提供が可能なことを示している場合に、提供可能なサービスを提供するように前記サービス提供手段を制御することを特徴としている。
【発明の効果】
【００１３】
請求項１〜請求項８記載の発明によれば、原本性の確保だけではなく、属性情報に基づいてサービスを提供することで、原本に記載されている情報の漏洩を防止することができる、という効果が得られる。
【発明を実施するための最良の形態】
【００１４】
以下、本発明の実施の形態について図面を参照して説明する。なお、本発明の実施の形態では、ネットワークで接続された複数の複合機及び原本に対するサービスを管理する管理サーバを備えた文書管理システムに本発明を適用した場合を例に説明する。
【００１５】
図１に示すように、本実施の形態に係る文書管理システム１０は、プリント、ファクシミリ送信、及びコピーなどの印刷処理や画像読取処理などのサービスを提供するサービス提供装置としての複数の複合機１２と、植物繊維が絡み合って形成されたランダムパターンを有する原本の画像から得られるランダムパターンの特徴量（以下、単に「紙指紋データ」という。）と、紙指紋データに対応する属性情報とを対応付けて記憶するデータベースを備えた管理サーバ１４とによって構成されている。複合機１２、及び管理サーバ１４は相互にネットワーク１６とによって接続されている。
【００１６】
図２は、複合機１２の構成を示すブロック図である。複合機１２は、プリント、ファクシミリ送信、及びコピーなどのサービスを提供する機能を有するものである。
【００１７】
複合機１２は、原本に記憶された画像を読み取るスキャナ部２６と、感光体に静電潜像を記録し、静電潜像をモノクロトナーまたはカラートナーを用いて現像し、現像した画像を記録紙に転写して出力するプリンタ部２８と、ファクシミリ電文の送受信を行うファクシミリ（以下「ＦＡＸ」という。）部３０と、を備えている。
【００１８】
スキャナ部２６は、光源と、光源と対向するように配置されたＣＣＤ等の受光部とで構成され、光源から照射されて原本等の原稿を透過した光を受光部で受光することにより原稿に記録された画像と紙指紋とを読み取り、読取データを出力する。
【００１９】
複合機１２は、さらに、複合機１２全体を制御するコントローラ３２と、スキャナ部２６で読み取られた読取データ、ネットワークを介して受信した画像データ、及びＦＡＸ受信電文のデータ等を記憶するメモリ３４と、アイコンを有する操作画面を表示すると共に、アイコンに対する操作に応じて操作情報を入力するタッチパネルを備えた表示パネル３６と、指示等を記録する記憶装置３８と、データを入出力するための入出力ポート２４と、ネットワークに接続された機器と通信を行う通信制御ユニット２２とを備えている。
【００２０】
スキャナ部２６、プリンタ部２８、ＦＡＸ部３０、コントローラ部３２、メモリ部３４、表示パネル部３６、記憶装置部３８、及び入出力ポート部２４は、信号線を介して相互に接続されている。入出力ポート２４は、通信制御ユニット２２を介してネットワークに接続されている。なお、スキャナ部２６は、ＦＡＸ部の一部として組み込まれてもよい。
【００２１】
図３は、管理サーバ１４の構成を示すブロック図である。管理サーバ１４には、紙指紋データと属性情報データとを関連付けて記憶する記憶手段としてのデータベース５６が設けられている。
【００２２】
管理サーバ１４は、管理サーバ全体を制御するＣＰＵ（中央演算処理装置）５０と、管理サーバ１４全体を制御するためのプログラムを記憶したＲＯＭ（Ｒｅａｄ  Ｏｎｌｙ  Ｍｅｍｏｒｙ）５２と、ワークエリアとして機能するＲＡＭ（Ｒａｎｄｏｍ  Ａｃｃｅｓｓ  Ｍｅｍｏｒｙ）５４と、操作画面を操作する操作部４６と、操作画面を表示する表示部４８と、データを入出力するための入出力ポート４４と、ネットワークに接続された機器と通信を行う通信制御ユニット４２とを備えている。
【００２３】
入出力ポート４４、操作部４６、表示部４８、ＣＰＵ５０、ＲＯＭ５２、ＲＡＭ５４、及びデータベース部５６は、通信線を介して相互に接続されている。入出力ポート４４は、通信制御ユニット４２を介してネットワークに接続されている。
【００２４】
データベース５６には、表１で示すように量子化された紙指紋のデータと属性情報とを対応させたテーブルが記憶されている。本実施の形態では、各々の原本を識別する情報として、原本の紙自体が持つランダムなパターンが１枚１枚固有であることに着目し、固体を識別する情報としてランダムパターンの特徴量を量子化した紙指紋データを使用している。なお、紙指紋データは、量子化することなくテーブルに記憶するようにしてもよい。
【００２５】
【表１】
2009081731.tif 000003
【００２６】
例えば、表１のテーブルでは、原本Ａに対して、スキャン及び再登録の各サービスの提供を許可する属性情報が記憶されており、コピー及びＦＡＸの各サービスについては提供を禁止する属性情報が記憶されている。このように、各原本に対して属性情報によって提供できるサービスが制限されている。
【００２７】
次に、本実施の形態に係る文書管理システム１０の複合機１２で実行される登録処理ルーチン及び照合処理ルーチンについて説明する。
【００２８】
まず、図４に示すように、ステップ１００において、ユーザが複合機１２の表示パネル部３６を操作して利用したいサービスが選択されたか否かを判断する。
【００２９】
ステップ１００で、サービスが選択されたと判断された場合には、ステップ１０２で、サービスの選択の際に、複合機１２の表示パネル部３６に表示されている登録ボタンをユーザが押下したか否かを判断することにより選択されたサービスが登録処理であるか否かを判断する。
【００３０】
ステップ１０２で、選択されたサービスが登録処理であると判断された場合には、ステップ１０４へ進み、登録処理を実行する。
【００３１】
一方、ステップ１０２で、選択されたサービスが登録以外のサービスであると判断された場合には、ステップ１０６へ進み、照合処理を実行する。
【００３２】
次に、図５を参照して、登録処理について説明する。
【００３３】
ステップ１０８において、複合機１２のスキャナ部２６に設定された原本の画像を読み取り、読み取った画像から得られた読取データに基づいて、ランダムパターンの特徴量、即ち紙指紋データを抽出する。ステップ１１０で、抽出した紙指紋データを量子化することで、データ量を軽減することが可能となる。
【００３４】
次のステップ１１２で、ユーザが複合機１２の表示パネル部３６に表示したユーザインタフェース部（図示せず）を操作することによって、読み取った原本についての属性情報を入力したか否かを判断する。ここで、属性情報として、コピー、スキャン、ＦＡＸ、及び再登録の各サービスに対して提供可能か否かの情報が入力される。
【００３５】
属性情報が入力されたら、ステップ１１４へ進み、ステップ１１０で量子化された紙指紋データと、ステップ１１２で入力された属性情報とを関連付けた情報を管理サーバ１４へ送信する。
【００３６】
ステップ１１２で、原本についての属性情報が入力されなかった場合には、ステップ１１６で属情報を入力するよう指示を行い、ステップ１１２でユーザにより属性情報の入力が行われたか否かを再度判断する。なお、属性情報が入力されなかった場合には、全てのサービスに対して自動的にサービスの提供を許可する属性情報を付与してもよい。
【００３７】
以上によって、複合機１２から管理サーバ１４へ原本についてのランダムパターンの特徴量である紙指紋データ及び属性情報の登録が行われ、表１で説明したテーブルが作成される。
【００３８】
次に、図６を参照して、照合処理について説明する。
【００３９】
ステップ１１８で、サービスの提供を希望する原本または原稿の画像を読み取り、読み取りにより得られた読取データに基づいて紙指紋データを抽出し、ステップ１２０で抽出した紙指紋データを量子化する。次のステップ１２２で、量子化した紙指紋データを管理サーバ１４へ送信する。管理サーバ１４では、後述するように紙指紋データの照合を行い、紙指紋データが一致した場合には対応する紙指紋データの属性情報を送信してくる。
【００４０】
ステップ１２４では、管理サーバに送信した紙指紋データに対する属性情報を管理サーバ１４から受信したか否かを判断する。
【００４１】
ステップ１２４で属性情報を受信していないと判断された場合には、ステップ１３２で管理サーバからエラー信号を受信したか否かを判断する。エラー信号を受信していない場合は、ステップ１２４へ戻り、ステップ１３２で、エラー信号を受信したと判断された場合には、ステップ１３４で、複合機１２の表示パネル部３６にエラー信号に基づいてエラーメッセージを表示する。
【００４２】
ステップ１２４で、管理サーバ１４から属性情報を受信したと判断された場合には、ステップ１２６へ進み、属性情報に基づいて、ステップ１００で選択したサービスの提供が可能か否かを判断する。選択したサービスと属性情報の内容とを照合した結果、選択したサービスの提供ができない場合には、ステップ１３８へ進み、複合機１２の表示パネル部３６に禁止エラーメッセージを表示する。
【００４３】
ステップ１２６で、選択したサービスが提供可能なサービスであると判断された場合には、ステップ１２８へ進み、選択したサービスが再登録か否かを判断する。再登録の場合には、ステップ１３０で登録された属性情報の内容を変更する再登録処理を行う。
【００４４】
ステップ１２８で選択されたサービスが再登録以外のサービスであると判断された場合には、ステップ１３６で選択されたサービスを提供する処理を実施する。
【００４５】
次に、図７を参照してステップ１３０の再登録処理について説明する。
【００４６】
ステップ１４０でユーザにより、複合機１２の表示パネル部３６にあるユーザインタフェース部(図示せず）から属性情報の再入力が行われたか否かを判断し、属性情報が再入力された場合には、ステップ１４２へ進み、再入力した属性情報を管理サーバ１４へ送信する。
【００４７】
一方、ステップ１４０で、属性情報が再入力されなかった場合には、ステップ１４４でユーザに属性情報を再入力するよう指示を行い、ステップ１４０でユーザにより属性情報の再入力が行われたか否かを判断する。
【００４８】
次に、図８を参照して、管理サーバ１４で行われる登録処理、再登録処理、及び照合処理について説明する。
【００４９】
ステップ１４６で、複合機１２から量子化された紙指紋データを受信したか否かを判断し、紙指紋データを受信した場合には、ステップ１４８へ進み、属性情報を受信したか否かを判断する。紙指紋データと属性情報との両方を受信した場合には、新規の登録処理であるためステップ１５０に進み、管理サーバ１４のデータベースに新規の登録処理が行われる。すなわち、管理サーバ１４のデータベースに新たな紙指紋データと属性情報とが記憶される。
【００５０】
ステップ１４８で、属性情報を受信していないと判断された場合、すなわち、紙指紋データのみを受信した場合には、ステップ１５６で受信した紙指紋データが紙指紋データとして既にデータベース５６に登録されているか否かを判断するために、紙指紋データの照合処理を行う。照合処理としては、例えば受信した紙指紋データとデータベース５６に記憶されている紙指紋データとの類似度が所定値以上か否かを判断する方法があり、類似度が所定値以上の場合に紙指紋データが一致したと判断する。
【００５１】
ステップ１５８での照合の結果、紙指紋データが一致し、紙指紋データが登録されていると判断された場合には、ステップ１６０で登録されている紙指紋データに対応する属性情報を読み出して複合機１２へ送信する。これによって、複合機１２では、上述したように属性情報に応じたサービスの提供が行われる。
【００５２】
ステップ１５８で、紙指紋データが登録されていないと判断された場合には、ステップ１６２でエラー信号を複合機１２へ送信する。
【００５３】
ステップ１４６で、複合機１２から紙指紋データを受信していないと判断された場合は、ステップ１５２で属性情報を受信したか否かを判断する。
【００５４】
ステップ１５２で属性情報を受信したと判断された場合、すなわち属性情報のみを受信した場合には、再登録処理であるため、再登録を示す属性情報を複合機１２に送信した紙指紋データに対応させて、すでに登録してある属性情報に新たに受信した属性情報を上書きすることにより再登録する。
【００５５】
なお、上記ではサーバで紙指紋データを照合する例について記載したが、紙指紋データと属性情報とを対応させたテーブルを記憶したデータベースを複合機１２に設け、複合機１２で登録処置、再登録処理、及び照合処理を行ってもよい。
【図面の簡単な説明】
【００５６】
【図１】本実施の形態に係る文書管理システムの構成を示す概略図である。
【図２】本実施の形態に係る複合機の構成を機能的に示す概略図である。
【図３】本実施の形態に係る文書管理サーバの構成を機能的に示す概略図である。
【図４】複合機の全体の処理を示すフローチャートである。
【図５】複合機の登録処理を示すフローチャートである。
【図６】複合機の照合処理を示すフローチャートである。
【図７】複合機の再登録処理を示すフローチャートである。
【図８】管理サーバ全体の処理を示すフローチャートである。
【符号の説明】
【００５７】
１０  文書管理システム
１２  複合機
１４  文書管理サーバ
１６  ネットワーク
２２  複合機用通信制御ユニット
２４  複合機用入出力ポート部
２６  スキャナ部
２８  プリンタ部
３０  ＦＡＸ部
３２  コントローラ部
３４  メモリ部
３６  表示パネル部
３８  記憶装置部
４２  管理サーバ用通信制御ユニット
４４  管理サーバ用入出力ポート部
４６  操作部
４８  表示部
５０  ＣＰＵ
５２  ＲＯＭ
５４  ＲＡＭ
５６  データベース
【図１】
2009081731.tif 000004
【図２】
2009081731.tif 000005
【図３】
2009081731.tif 000006
【図４】
2009081731.tif 000007
【図５】
2009081731.tif 000008
【図６】
2009081731.tif 000009
【図７】
2009081731.tif 000010
【図８】
2009081731.tif 000011